【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
ポリマーと、前記ポリマー中に分散した複数の誘電体粒子とを含む選択的放出層を備えており、前記選択的放出層における前記誘電体粒子の体積パーセントが１％〜２５％の範囲にあり、前記粒子が３μｍ〜３０μｍの範囲にある平均径を特徴とする、選択的放射冷却構造体であって、
７μｍ〜１４μｍの波長範囲で０．５〜１．０の範囲にある平均放出率を特徴とする、選択的放射冷却構造体。
【請求項２】
前記構造体がシートの形態にある、請求項１に記載の選択的放射冷却構造体。
【請求項３】
−１００℃〜５００℃の範囲にある操作温度で５０Ｗ／ｍ２〜１５０Ｗ／ｍ２の放射熱流束をもたらす、請求項１に記載の選択的放射冷却構造体。
【請求項４】
誘電体粒子が３μｍ〜１５μｍの範囲にある平均径を特徴とする、請求項１に記載の選択的放射冷却構造体。
【請求項５】
前記誘電体粒子が、二酸化ケイ素（ＳｉＯ２）、炭酸カルシウム（ＣａＣＯ３）、炭化ケイ素（ＳｉＣ）、酸化亜鉛（ＺｎＯ）、二酸化チタン（ＴｉＯ２）及びアルミナ（Ａｌ２Ｏ３）から成る群より選択される、請求項１に記載の選択的放射冷却構造体。
【請求項６】
前記ポリマーが、４−メチル−１−ペンテンポリマー、４−メチル−１−ペンテンコポリマー、ポリフッ化ビニル、ポリエチレンテレフタレート及びＴＰＸ（商標）から成る群より選択される、請求項１に記載の選択的放射冷却構造体。
【請求項７】
前記選択的放出層が、１０μｍ〜３ｍｍの平均厚さを特徴とする、請求項１に記載の選択的放射冷却構造体。
【請求項８】
太陽光に対して透明であり耐候性を示す保護フィルムをさらに備える、請求項１に記載の選択的放射冷却構造体。
【請求項９】
０．３μｍ〜３μｍの波長範囲で０〜０．２である太陽光吸収率を特徴とする、請求項１に記載の選択的放射冷却構造体。
【請求項１０】
前記選択的放出層に接した太陽光反射層をさらに備え、前記太陽光反射層が金属フィルム又は金属基材を含み、前記選択的放出層が、７μｍ〜１４μｍの波長範囲で０．５〜１．０の範囲にある放出率を特徴とし、前記選択的放射冷却構造体が、０．３μｍ〜３μｍの波長範囲で０．８〜１の範囲にある太陽光反射率を特徴とする、請求項１に記載の選択的放射冷却構造体。
【請求項１１】
前記金属フィルムが、２０ナノメートル〜１０００ナノメートルの平均厚さを特徴とする、請求項１０に記載の選択的放射冷却構造体。
【請求項１２】
前記粒子が、３μｍ〜３０μｍの範囲から選択される平均有効径を特徴とする、請求項１に記載の選択的放射冷却構造体。
【請求項１３】
ａ．ポリマーを含む選択的放出層を備える選択的放射冷却構造体を物体の表面と熱連通させるステップであって、前記選択的放出層が、前記物体と熱連通しており、前記選択的放射冷却構造体が、７μｍ〜１４μｍの波長範囲で０．５〜１．０の範囲にある平均放出率を特徴とする、ステップ、
ｂ．前記物体から前記選択的放射冷却構造体へと熱を伝達させるステップ、及び
ｃ．前記選択的放射冷却構造体の選択的放出層から熱を放射するステップ
を含む、選択的熱放射により物体から熱を除去する方法。
【請求項１４】
前記選択的放射冷却構造体が、０．３μｍ〜３μｍの波長で０〜０．２０である太陽光吸収率を特徴とする、請求項１３に記載の方法。
【請求項１５】
前記選択的放出層が、前記ポリマー中に分散した複数の誘電体粒子をさらに含み、前記選択的放出層における前記誘電体粒子の体積パーセントが２％〜２５％の範囲にあり、前記粒子が３μｍ〜３０μｍの範囲にある平均径を特徴とする、請求項１３に記載の方法。
【請求項１６】
前記物体が、ソーラーパネル、自動車の屋根若しくは窓、建築物の屋根若しくは窓、又はエネルギー、食品、油若しくはその他の商品用の冷気貯蔵構造体である、請求項１３に記載の方法。
【請求項１７】
前記選択的放射冷却構造体が、金属フィルム又は基材を含む太陽光反射層をさらに備え、０．３μｍ〜３μｍの波長で０〜０．２である太陽光吸収率を特徴とする、請求項１３に記載の方法。
【請求項１８】
前記選択的放出層が、前記ポリマー中に分散した複数の誘電体粒子をさらに含み、前記選択的放出層における前記誘電体粒子の体積パーセントが２％〜２５％の範囲にあり、前記粒子が３μｍ〜３０μｍの範囲にある平均径を特徴とする、請求項１７に記載の方法。
【請求項１９】
前記物体が、建築物の一部又は構造体の屋根である、請求項１７に記載の方法。
【請求項２０】
前記物体が、受動的なサーモサイフォン又は能動的なチャネルアレイであり、伝熱流体が前記物体の内部を循環している、請求項１７に記載の方法。
【請求項２１】
ａ．各冷気回収装置が冷却流体と熱連通するように構成されている、複数の冷気回収装置と、
ｂ．各選択的放射冷却構造体が、複数の前記冷気回収装置のうちの１つの表面と熱連通しており、且つ各選択的放射冷却構造体が、ポリマーを含む選択的放出層を備えており、各選択的放射冷却装置の前記選択的放出層が、複数の前記冷気回収装置のうちの１つと熱連通しており、且つ各選択的放射冷却構造体が、７μｍ〜１４μｍの波長範囲で０．５〜１．０の範囲にある平均放出率を特徴とする、複数の選択的放射冷却構造体と
を具備する冷気回収システム。
【請求項２２】
熱交換器をさらに備え、前記冷却流体が、前記熱交換器と流体連通している、請求項２１に記載の冷気回収システム。
【請求項２３】
前記冷気回収装置が受動的なサーモサイフォン又は能動的なチャネルアレイである、請求項２１に記載の冷気回収システム。
【請求項２４】
ａ．ポリマーを含む供給材料を押出成形でダイに通してフィルム又はシートを形成するステップであって、前記ポリマーが、５μｍ〜５０μｍの範囲で０．６〜１の吸収率を特徴とする、ステップ、及び
ｂ．前記フィルム又はシートを冷却するステップ
を含む、選択的放射冷却構造体を製造する方法。
【請求項２５】
前記供給材料が複数の誘電体粒子をさらに含み、前記誘電体粒子の体積パーセントが２％〜２５％の範囲にあり、前記粒子が３μｍ〜３０μｍの範囲にある平均径を特徴とし、前記フィルム又はシートが複合フィルムである、請求項２４に記載の方法。
【請求項２６】
ポリマーと、前記ポリマー中に分散した複数の誘電体粒子とを含む選択的放出層であり、前記選択的放出層における前記誘電体粒子の体積パーセントが１％〜２５％の範囲にあり、前記粒子が３μｍ〜３０μｍの範囲にある平均径を特徴とする、選択的放出層と、
前記選択的放出層に接しており、金属フィルム又は金属基材を含む太陽光反射層と、
を備え、
前記選択的放出層が、７μｍ〜１３μｍの波長範囲で０．６〜１．０の範囲にある平均放出率を特徴とし、前記選択的放出層が、０．３μｍ〜３μｍの波長範囲で０．７〜１の範囲にある太陽光透過率を有する、請求項１に記載の選択的放射冷却構造体。
【請求項２７】
前記ポリマーが、ポリオレフィン、ポリメチルメタクリレート（ＰＭＭＡ）、ポリメチルペンテン（ＰＭＰ）、ポリエチレン（ＰＥ）、ポリスチレン（ＰＳ）、ポリエチレンテレフタレート（ＰＥＴ）、ポリカーボネート（ＰＣ）、ポリテトラフルオロエチレン（ＰＴＦＥ）、ポリフッ化ビニル、それらの組合せ及びそれらのコポリマーからなる群より選択され、
前記誘電体粒子が、二酸化ケイ素（ＳｉＯ２）、炭酸カルシウム（ＣａＣＯ３）、炭化ケイ素（ＳｉＣ）、酸化亜鉛（ＺｎＯ）、二酸化チタン（ＴｉＯ２）及びアルミナ（Ａｌ２Ｏ３）からなる群より選択される、請求項２６に記載の選択的放射冷却構造体。